(57)【特許請求の範囲】
【請求項１】
第１面および前記第１面と反対側の第２面を有し、且つ、一体的に形成された複数の板状パーツと、
前記複数の板状パーツの境界に設けられ、且つ、前記複数の板状パーツを個別に分断するための複数の分断ラインと、
を備え、
前記複数の分断ラインの端部であって、一体的に形成された複数の板状パーツの周囲に位置する該複数の分断ラインの端部の少なくとも１つには、間隙部が設けられている、玩具。
【請求項２】
請求項１に記載の玩具において、
前記複数の板状パーツの少なくとも１つは、前記間隙部に隣接する箇所において、丸みがつけられている、玩具。
【請求項３】
請求項１または２に記載の玩具において、
前記複数の分断ラインの交点の少なくとも１つには、前記第１面から前記第２面に渡って貫通する第１開口部が設けられている、玩具。
【請求項４】
請求項３に記載の玩具において、
前記複数の板状パーツの少なくとも１つは、前記第１開口部に隣接する箇所において、丸みがつけられている、玩具。
【請求項５】
請求項１〜４の何れか１項に記載の玩具において、
前記複数の分断ラインのうち一部の前記分断ラインの途中には、前記第１面から前記第２面に渡って貫通する第２開口部が設けられている、玩具。
【請求項６】
請求項１〜５の何れか１項に記載の玩具において、
前記複数の板状パーツは、
第１形象物を外観とする第１形象パーツと、
前記第１形象パーツの周囲に配置された複数の第１背景パーツと、
を含む、玩具。
【請求項７】
請求項６に記載の玩具において、
前記第１形象パーツは、前記第１形象物を組み立てるための複数の第１組立パーツを含む、玩具。
【請求項８】
請求項７に記載の玩具において、
前記複数の第１組立パーツのうち互いに隣接する２つの前記第１組立パーツの間には、前記第１面から前記第２面に渡って貫通する第３開口部が設けられ、
互いに隣接する２つの前記第１組立パーツは、前記第３開口部により離間して配置される、玩具。
【請求項９】
請求項８に記載の玩具において、
前記複数の第１組立パーツの少なくとも１つは、前記第３開口部に隣接する箇所において、丸みがつけられている、玩具。
【請求項１０】
請求項７に記載の玩具において、
前記複数の第１組立パーツは、前記第１形象物の概観が認識可能となるように、前記第１形象物を構成する際の各第１組立パーツの位置に対応して配置されている、玩具。
【請求項１１】
請求項７〜１０の何れか１項に記載の玩具において、
前記複数の板状パーツおよび前記複数の分断ラインを、それぞれ有する第１組立キットおよび第２組立キットを備え、
前記第２組立キットに含まれる前記複数の第１組立パーツは、前記第１組立キットに含まれる前記複数の第１組立パーツと左右対称に配置され、
前記第１組立キットおよび前記第２組立キットから前記複数の第１組立パーツを分断し、分断された前記複数の第１組立パーツを組み合わせることで、前記第１形象物の組み立てが可能となる、玩具。
【請求項１２】
請求項６に記載の玩具において、
前記複数の板状パーツは、前記第１形象物と異なる第２形象物を組み立てるための第２形象パーツを更に含む、玩具。
【請求項１３】
請求項１〜１２の何れか１項に記載の玩具において、
前記複数の分断ラインの各々は、前記第１面に形成された第１溝を含む、玩具。
【請求項１４】
請求項１３に記載の玩具において、
前記複数の分断ラインの各々は、前記第２面に形成された第２溝を更に含み、
前記第１面側から前記第２面側へ向かう方向と直交する平面視において、前記第１溝は、前記第２溝と重なっている、玩具。
【請求項１５】
請求項１４に記載の玩具において、
前記断面視において、前記第１溝の深さは、前記第２溝の深さと異なっている、玩具。
【請求項１６】
請求項１５または１６に記載の玩具において、
前記平面視において、前記第１溝の幅は、前記第２溝の幅と異なっている、玩具。
【発明の詳細な説明】
【技術分野】
【０００１】
本発明は、玩具に関し、特に、複数の板状パーツを備えた玩具に関する。
【背景技術】
【０００２】
従来、複数の板状パーツを組み合わせることで、形象物を組み立てる玩具が流通している。例えば特許文献１には、板状体を薄肉部において破断することで複数のパズル片を取得し、破断された複数のパズル片を組み合わせることで、様々な形象物を組み立てる技術が開示されている。
【先行技術文献】
【特許文献】
【０００３】
【特許文献１】実開平６−４８７９６号公報
【発明の概要】
【発明が解決しようとする課題】
【０００４】
それぞれ形象物の一部を構成する複数の形象パーツを含む複数の板状パーツを用意し、複数の板状パーツを分断することで、複数の形象パーツを取得する場合、複数の板状パーツを容易に分断できる技術が望まれる。また、分断された複数の板状パーツの端部が尖っていると、組み立てを行うユーザが負傷する恐れがある。従って、ユーザの負傷を抑制できる板状パーツの開発が望まれる。その他の課題と新規な特徴は、本明細書の記述および添付図面から明らかになる。
【課題を解決するための手段】
【０００５】
本願において開示される実施の形態のうち、代表的なものの概要を簡単に説明すれば、次のとおりである。
【０００６】
一実施の形態における玩具は、第１面および前記第１面と反対側の第２面を有し、且つ、一体的に形成された複数の板状パーツと、前記複数の板状パーツの境界に設けられ、且つ、前記複数の板状パーツを個別に分断するための複数の分断ラインと、を備え、前記複数の分断ラインの交点の少なくとも１つには、前記第１面から前記第２面に渡って貫通する第１開口部が設けられている。また、一実施の形態における玩具は、第１面および前記第１面と反対側の第２面を有し、且つ、一体的に形成された複数の板状パーツと、前記複数の板状パーツの境界に設けられ、且つ、前記複数の板状パーツを個別に分断するための複数の分断ラインと、を備え、前記複数の分断ラインの端部であって、一体的に形成された複数の板状パーツの周囲に位置する該複数の分断ラインの端部の少なくとも１つには、間隙部が設けられている。
【発明の効果】
【０００７】
一実施の形態によれば、複数の板状パーツを容易に分断できる。また、ユーザの負傷を抑制できる板状パーツを提供できる。
【図面の簡単な説明】
【０００８】
【図１】実施の形態１における玩具を示す平面図である。
【図２】実施の形態１における複数の形象パーツを示す斜視図である。
【図３】実施の形態１における形象物を示す斜視図である。
【図４】実施の形態１における複数の板状パーツを示す断面図である。
【図５】実施の形態１における複数の板状パーツを示す要部平面図である。
【図６】実施の形態２における複数の板状パーツを示す断面図である。
【図７】実施の形態３における複数の板状パーツを示す断面図である。
【発明を実施するための形態】
【０００９】
以下、本発明の実施の形態を図面に基づいて詳細に説明する。なお、実施の形態を説明するための全図において、同一の機能を有する部材には同一の符号を付し、その繰り返しの説明は省略する。また、以下の実施の形態では、特に必要なときを除き、同一または同様な部分の説明を原則として繰り返さない。
【００１０】
また、本願において説明されるＸ方向、Ｙ方向およびＺ方向は互いに直交している。本願では説明を簡単にするために、Ｚ方向をある構造体の上下方向、高さ方向または厚さ方向として説明する場合もある。
【００１１】
また、Ｘ方向およびＹ方向からなる面は平面を成し、Ｚ方向に垂直な平面である。本願において「平面視」と表現した場合、それは、Ｚ方向からＸ方向およびＹ方向からなる面を見ることを意味し、Ｚ方向と直交する面を見ることを意味する。本願において「断面視」と表現した場合、それは、上記平面と垂直な面を見ることを意味し、Ｚ方向に平行な面を見ることを意味する。
【００１２】
（実施の形態１）
＜玩具１の構成＞
以下に図１〜図５を用いて、実施の形態１における玩具１について説明する。図４に示されるように、玩具１は、表面ＴＳおよび表面ＴＳと反対側の裏面ＢＳを有する。図１は、玩具１の表面ＴＳ側から見た平面図である。
【００１３】
なお、以降の説明で「表面ＴＳ」および「裏面ＢＳ」という表現を行う場合、それらは、玩具１における説明だけでなく、組立キット２ａ、組立キット２ｂ、板状パーツ３、形象パーツ３ａ〜３ｄおよび背景パーツ３ｅにおける説明にも適用される。
【００１４】
図１に示されるように、玩具１は、一対の組立キット２ａおよび組立キット２ｂを有する。組立キット２ａおよび組立キット２ｂは、一体的に形成された複数の板状パーツ３と、複数の板状パーツ３の境界に設けられ、且つ、複数の板状パーツ３を個別に分断するための複数の分断ライン４とを備える。また、複数の板状パーツ３は、形象パーツ３ａ〜３ｄおよび複数の背景パーツ３ｅを含む。
【００１５】
形象パーツ３ａは、例えば図３に示されるような形象物１０を外観とし、形象物１０を組み立てるための複数の組立パーツ３１を含む。形象パーツ３ｂ〜３ｄは、形象物１０とは異なる形象物１１〜１３を組み立てるためのパーツである。複数の背景パーツ３ｅは、形象パーツ３ａ〜３ｄの周囲に配置されている。例えばユーザが、複数の板状パーツ３（形象パーツ３ａ〜３ｄおよび複数の背景パーツ３ｅ）の一部に対して、主にＺ方向へ所定の圧力を加えることで、複数の板状パーツ３が、複数の分断ライン４に沿って、それぞれ個別に分断される。
【００１６】
図２は、組立キット２ａおよび組立キット２ｂから複数の組立パーツ３１を分断し、これらを組み合わせる様子を示している。その後、図３に示されるように、分断された複数の組立パーツ３１を組み合わせることで、形象物１０の組み立てが可能となる。
【００１７】
また、図１に示されるように、組立キット２ｂに含まれる複数の組立パーツ３１は、組立キット２ａに含まれる複数の組立パーツ３１と左右対称に配置されている。また、組立キット２ａおよび組立キット２ｂにおいて、複数の組立パーツ３１は、形象物１０の概観が認識可能となるように、形象物１０を構成する際の各組立パーツ３１の位置に対応して配置されている。言い換えれば、複数の板状パーツ３のうち複数の組立パーツ３１は、形象物１０の完成形に近い形で、密集して配置されている。
【００１８】
このため、図２に示されるように、分断された複数の組立パーツ３１を適切な位置に配置し、組み合わせの準備を早急に行うことができ、形象物１０の組み立てを容易に行うことができる。例えば、複数の組立パーツ３１から形象物１０を組み立てる方法を説明するための説明書が、玩具１に添付されていなかったとしても、形象物１０の組み立てが容易になり、組み立て時間の短縮化が図れる。
【００１９】
なお、図２に示されるように、複数の組立パーツ３１には、組み立てるときの取り付け部分として、それぞれ複数の凸部７および複数の凹部８が設けられている。凸部７と凹部８とを嵌合させることで、複数の組立パーツ３１が組み合わされる。例えば、組立キット２ａの形象パーツ３ａに設けられた凸部７と、組立キット２ｂの形象パーツ３ａに設けられた凹部８とを嵌合させることで、形象物１０の一つの部位が組み立てられる。
【００２０】
また、組立キット２ａおよび組立キット２ｂから分断された一対の形象パーツ３ｂ〜３ｄにも、それぞれ凸部７および凹部８が設けられている。凸部７と凹部８とを嵌合させることで、一対の形象パーツ３ｂ〜３ｄが組み合わされ、形象物１１〜１３が組み立てられる。また、組立キット２ｂに含まれる形象パーツ３ｂ〜３ｄは、それぞれ、組立キット２ａに含まれる形象パーツ３ｂ〜３ｄと左右対称に配置されている。従って、ユーザは、複数の板状パーツ３から、組立キット２ｂの形象パーツ３ｂ〜３ｄと組立キット２ａの形象パーツ３ｂ〜３ｄとを選択し、これらを互いに組み合わせればよいと、認識できる。
【００２１】
なお、形象パーツ３ｂ〜３ｄは、組立キット２ａおよび組立キット２ｂの両方に設けられていなくともよく、これらの一方のみに設けられていてもよい。その場合、組み立て作業は必要なく、形象パーツ３ｂ〜３ｄのみでそれぞれの形象物１１〜１３が構成される。従って、形象パーツ３ｂ〜３ｄを分断するだけで、形象パーツ３ｂ〜３ｄに対応する形象物１１〜１３を取得できる。
【００２２】
実施の形態１では、形象パーツ３ａ（複数の組立パーツ３１）は恐竜の化石を題材として設けられ、形象物１０は化石を組み合わせて復元された恐竜の骨格を題材として設けられている。また、形象パーツ３ｂは古代魚の化石を題材として設けられ、形象物１１は復元された古代魚の骨格を題材として設けられている。しかし、複数の組立パーツ３１および形象パーツ３ｂと、それらの形象物とは、恐竜および古代魚の骨格に限られず、様々なキャラクターに適用できる。
【００２３】
また、形象物１２は、形象物１０のネームプレートを構成し、形象物１３は、形象物１０〜１２を搭載可能な台座を構成する。台座には、凹部および凸部などの嵌合部が設けられており、台座の嵌合部に形象物１０〜１２を嵌め込むことで、形象物１０〜１２が台座に搭載される。なお、形象パーツ３ｂ〜３ｄ（形象物１１〜１３）は、必ずしも玩具１に備えられていなくてもよく、組立キット２ａおよび組立キット２ｂにおいて、複数の背景パーツ３ｅに置き換えられていてもよい。
【００２４】
複数の背景パーツ３ｅは、複数の板状パーツ３を分断した後に、形象物１０の組み立てには使用されないが、複数の板状パーツ３を分断する前に、形象パーツ３ａ〜３ｄを保持する役割を果たす。
【００２５】
また、実施の形態１では、複数の背景パーツ３ｅは地層を題材として設けられている。そして、複数の背景パーツ３ｅ、形象パーツ３ａおよび形象パーツ３ｂによって、地層に埋められた恐竜の化石および古代魚の化石が描写されている。なお、このような描写をより明確にするために、複数の背景パーツ３ｅ、形象パーツ３ａおよび形象パーツ３ｂには、それぞれ任意の着色が施されていてもよい。
【００２６】
複数の板状パーツ３（形象パーツ３ａ〜３ｄおよび複数の背景パーツ３ｅ）は、樹脂からなり、例えばＡＢＳ樹脂からなる。ＡＢＳ樹脂は、合成樹脂の一種であり、アクリロニトリル（Acrylonitrile）、ブタジエン（Butadiene）およびスチレン（Styrene）の共重合合成樹脂である。複数の板状パーツ３を構成する樹脂は、目視において透明または半透明と認識できるクリア素材によって構成されていてもよく、成型時に顔料または染料を含ませることで、予め着色されていてもよい。また、複数の板状パーツ３を構成する樹脂は、ＡＢＳ樹脂とポリスチレン樹脂とを混合した樹脂とすることも可能である。混合割合は、複数の板状パーツ３の強度や分断のし易さなどを考慮することで設定することができる。
【００２７】
例えば、上述のように地層および化石を表現する場合、複数の板状パーツ３に白色の樹脂を適用し、形象パーツ３ａおよび形象パーツ３ｂ以外の複数の板状パーツ３に対して、茶色の塗装を施してもよい。逆に、複数の板状パーツ３に茶色の樹脂を適用し、形象パーツ３ａおよび形象パーツ３ｂのみに対して、白色の塗装を施してもよい。また、クリア素材の樹脂を用いる場合も、同様な塗装が可能である。
【００２８】
また、地層の描写をより明確にするために、複数の背景パーツ３ｅの一部または全部には、装飾部６が設けられている。ここでは、装飾部６は、分断ライン４と共に、地層に含まれるひび割れなどを表している。装飾部６は、例えば、印刷によって描写されていてもよいし、複数の背景パーツ３ｅに浅溝を形成することで描写されていてもよい。なお、仮に、複数の背景パーツ３ｅに装飾部６として浅溝を形成する場合、浅溝の深さは、後述の分断ライン４の溝４１の深さよりも浅い。
【００２９】
ユーザは、形象パーツ３ａ〜３ｄおよび複数の背景パーツ３ｅを分断していくことで、恐竜の化石および古代魚の化石を発掘するような楽しさを得られる。そして、ユーザは、形象パーツ３ａおよび形象パーツ３ｂを組み立てることで、発掘した化石から恐竜の骨格および古代魚の骨格を復元するような楽しさを得られる。すなわち、実施の形態１における玩具１によって、興趣性を向上させることができる。
【００３０】
＜分断ライン４、開口部５ａおよび開口部５ｂの構成＞
以下に図４および図５を用いて、実施の形態１における分断ライン４、開口部５ａおよび開口部５ｂについて詳細に説明する。図４は、図１に示されるＡ−Ａ線に沿った断面図であり、図５は、図１の要部を拡大した平面図である。
【００３１】
上述のように、分断ライン４は、複数の板状パーツ３の境界に設けられている。より具体的には、分断ライン４は、複数の背景パーツ３ｅの境界、および、背景パーツ３ｅと形象パーツ３ａ〜３ｄとの境界に設けられている。
【００３２】
図４に示されるように、実施の形態１における複数の分断ライン４の各々は、板状パーツ３の表面ＴＳに形成された溝４１と、板状パーツ３の裏面ＢＳに形成された溝４２とを含む。溝４１および溝４２は、表面ＴＳから裏面ＢＳに渡って貫通しないように、所定の深さで形成されている。
【００３３】
実施の形態１では、表面ＴＳ側から裏面ＢＳ側へ向かう方向（Ｚ方向）と平行な断面視において、溝４１の深さは、溝４２の深さと同じである。また、表面ＴＳ側から裏面ＢＳ側へ向かう方向（Ｚ方向）と直交する平面視において、溝４１の幅は、溝４２の幅と同じである。
【００３４】
また、図５に示されるＺ方向平面視において、溝４１と溝４２とは少なくとも一部が重なっている。言い換えると、溝４１は溝４２とは互いに対向して配置されている。そして、図４に示されるＺ方向断面視において、溝４１および溝４２は互いに離間している。すなわち、溝４１は、溝４２に対応する位置に設けられ、溝４１の底部は、溝４２の底部に近接している。なお、理想的には、平面視において、溝４１の底部が溝４２の底部と重なっていることが好ましい。
【００３５】
このように、溝４１の底部と溝４２の底部との間における板状パーツ３の厚さが、非常に薄くなっている。実施の形態１では、溝４１の底部と溝４２の底部との間における板状パーツ３の厚さの値は、溝４１および溝４２の各々の深さの値よりも小さい。従って、複数の板状パーツ３に所定の圧力が加えられると、溝４１の底部と溝４２の底部との間における板状パーツ３が破壊される。それ故、分断ライン４に沿って、複数の板状パーツ３が個別に分離される。
【００３６】
なお、形象パーツ３ａ〜３ｄのうち少なくとも形象パーツ３ａおよび形象パーツ３ｂの表面ＴＳは、背景パーツ３ｅの表面ＴＳから隆起している。これらの隆起している箇所には、形象物１０および形象物１１の外観を認識できるように、様々な加工が施されている。
【００３７】
次に、実施の形態１における開口部５ａ、開口部５ｂ、および間隙部９について説明する。
【００３８】
図５に示されるように、複数の分断ライン４の交点の少なくとも１つには、開口部５ａが設けられている。開口部５ａが、複数の分断ライン４のうち一部の分断ライン４の途中にも設けられている場合もある。また、図４に示されるように、開口部５ａは、表面ＴＳから裏面ＢＳに渡って貫通している。また、図５に示されるように、複数の分断ライン４の端部であって、一体的に形成された複数の板状パーツ３の周囲に位置する複数の分断ライン４の端部の少なくとも１つには、間隙部９が設けられている。分断ライン４だけでなく開口部５ａおよび間隙部９も設けられていることで、複数の板状パーツ３を容易に分断し易くなる。
【００３９】
ここで、複数の分断ライン４は、それぞれ異なる方向に延在しているので、複数の分断ライン４の各々の交点では圧力が分散し易い。すなわち、複数の分断ライン４の各々の交点では、複数の板状パーツ３が分断し難い。実施の形態１では、複数の分断ライン４の各々の交点に、開口部５ａが設けられているので、複数の板状パーツ３をより容易に分断することができる。
【００４０】
ところで、開口部５ａが設けられていない場合、板状パーツ３のうち複数の分断ライン４の各々の交点に対応した箇所は、尖ってしまう可能性が高い。そして、開口部５ａの形状について特に考慮せずに、開口部５ａが設けられている場合も、同様の問題が存在する。分断された複数の板状パーツ３に、このような尖った箇所が存在すると、組み立てを行うユーザが負傷する恐れがある。
【００４１】
実施の形態１では、そのような問題を考慮して、開口部５ａの形状について工夫が施されている。図５に示されるように、複数の板状パーツ３の少なくとも１つは、開口部５ａに隣接する箇所において、丸みがつけられている。また、図５に示されるように、複数の板状パーツ３の少なくとも１つは、間隙部９に隣接する箇所において、丸みがつけられている。これらの丸みによって、複数の板状パーツ３を分断する際に、ユーザが負傷する恐れを抑制することができる。また、各板状パーツ３に丸みがつけられた部分に隣接する分断ライン４中には各板状パーツの丸みに沿う切れ込みが入っていてもよく、分断後の板状パーツ３と板状パーツ３に残った分断ライン４の一部とによって滑らかな外周を構成する丸みがつくようになることが好ましい。このようにすることで、複数の板状パーツ３を分断する際に、ユーザが負傷する恐れをさらに抑制することができる。
【００４２】
また、複数の組立パーツ３１のうち互いに隣接する２つの形象パーツ３ａの間には、開口部５ｂが設けられている。開口部５ｂは、開口部５ａと同様に、表面ＴＳから裏面ＢＳに渡って貫通している。また、複数の組立パーツ３１の少なくとも１つは、開口部５ｂに隣接する箇所において、丸みがつけられている。この丸みによって、分断された形象パーツ３ａを組み立てる際に、ユーザが負傷する恐れを抑制することができる。
【００４３】
複数の組立パーツ３１は、形象物１０の組み立て時において互いに接触する箇所が含まれるので、複数の板状パーツ３の分断時において複数の組立パーツ３１が破損しないことが好ましい。仮に、複数の組立パーツ３１同士が分断ライン４で接続されていると、分断の圧力が大き過ぎた場合、複数の組立パーツ３１間が分断ライン４に沿って分断されるだけでなく、複数の組立パーツ３１（形象パーツ３ａ）にも亀裂が生じる恐れがある。それ故、複数の組立パーツ３１同士を開口部５ｂによって予め分断しておくことで、そのような恐れを抑制することができる。すなわち、複数の組立パーツ３１同士を接続する接続部を設けず、複数の組立パーツ３１同士が離間した状態で配置されていることが望ましい。
【００４４】
組立パーツ３１は、分断ライン４を介して背景パーツ３ｅに保持されているが、上記の恐れを抑制する観点から、組立パーツ３１は、できる限り分断ライン４に接続されないことが好ましく、保持に必要な最低限の分断ライン４のみに接続されていることが好ましい。言い換えれば、背景パーツ３ｅと組立パーツ３１との境界に設けられた分断ライン４の面積は、複数の背景パーツ３ｅの境界に設けられた分断ライン４の面積よりも小さい。さらに言い換えると、１つの背景パーツ３ｅと１つの組立パーツ３１に着目すると、組立パーツ３１の外周における他の板状パーツ３と接触している長さの割合は、背景パーツ３ｅの外周における他の板状パーツ３と接触している長さの割合よりも小さくすることが好ましい。また、組立パーツ３１に関しては、組立パーツ３１の外周における他の板状パーツ３と接触している長さは、組立パーツ３１の外周における他の板状パーツ３と接触していない長さ（即ち、開口部５ｂが形成されている部分の長さ）よりも短くなることが好ましく、背景パーツ３ｅに関しては、背景パーツ３ｅの外周における他の板状パーツ３と接触している長さは、背景パーツ３ｅの外周における他の板状パーツ３と接触していない長さ（即ち、開口部５ａまたは５ｂが形成されている部分の長さ）よりも長くなることが好ましい。このようにしておくことで、組立パーツ３１に関しては、分断時の破損を防止または抑制でき、背景パーツ３ｅに関しては、分断時の感触を残して興趣性を高めることができる。このような関係は、複数の組立パーツ３１（形象パーツ３ａ）だけでなく、形象パーツ３ｂ〜３ｄにおいても同様である。また、組立パーツ３１は、分断ライン４を介して背景パーツ３ｅに保持されるために、背景パーツ３ｅとの接続部を設けることが必要であるが、組立パーツ３１同士は、破損を防止または抑制するために接続部を設けず、互いに隣接する２つの組立パーツ３１は、開口部５ｂにより離間して配置されることが望ましい。これは、組立キット２ａおよび組立キット２ｂにおいて、複数の組立パーツ３１は、形象物１０の概観が認識可能となるように、形象物１０を構成する際の各組立パーツ３１の位置に対応して配置されているため、所定の組立パーツ３１が他の組立パーツ３１と隣接する部分は、組み立てるための取り付け部となる凸部７は凹部８が形成されていることがあり、この部分が破損すると組み立てができなくなる恐れがあるため、可能な限り破損しないようにしておくことが望ましいからである。ただし、組立パーツ３１同士に接続部を設けず組立パーツ３１同士が離間していることで、組立キット２ａおよび組立キット２ｂの落下時に容易に組立パーツ３１が分断することは好ましくない。そこで、例えば、落下時に落下位置と接触し易い組立パーツ３１の隆起部分（恐竜の骨格の頭部パーツなど）や凸部７が設けられた組立パーツ３１に限っては、落下防止時の破損防止の目的で組立パーツ３１同士に接続部を設けることもできる。
【００４５】
このような面積の小さい分断ライン４の平面形状は、例えば、島状または点状を成す。組立パーツ３１と背景パーツ３ｅとの間に、このような形状の分断ライン４を設けることで、複数の組立パーツ３１を保持すると共に、上記の恐れを抑制できる。
【００４６】
また、開口部５ａおよび開口部５ｂが設けられていることで、例えば、組立キット２ａおよび組立キット２ｂの裏面ＢＳから光を当てた際、ユーザは、開口部５ａおよび開口部５ｂから漏れる光によって囲まれた複数の組立パーツ３１（恐竜の化石）を鑑賞できる。このように、開口部５ａおよび開口部５ｂを、ユーザの興趣性を向上させるという目的にも適用できる。
【００４７】
（実施の形態２）
以下に図６を用いて、実施の形態２における玩具１を説明する。なお、以下の説明では、実施の形態１との相違点を主に説明する。図６は、図４と同様に、図１に示されるＡ−Ａ線に沿った断面図である。
【００４８】
実施の形態２では、実施の形態１と同様に、平面視において溝４１は溝４２と重なり、断面視において溝４１および溝４２は互いに離間している。しかし、実施の形態２は、溝４１および溝４２の構造に関して、実施の形態１と異なっている。
【００４９】
図６に示されるように、断面視において、溝４１の深さは、溝４２の深さと異なっており、溝４２の深さよりも深い。また、平面視において、溝４１の幅は、溝４２の幅と異なっており、溝４２の幅よりも広い。また、断面図において、溝４１は台形状を成し、溝４２はＶ字状を成している。言い換えれば、平面視において、溝４１の底部の幅は、溝４２の底部の幅と異なっており、溝４２の底部の幅よりも広い。
【００５０】
溝４１および溝４２を作製する際、加工精度によっては、溝４１の位置が、溝４２の位置とずれる場合がある。実施の形態１では、仮にそのような位置ずれが発生した場合でも、平面視において溝４１は溝４２と重なるが、溝４１の底部の位置が、溝４２の底部の位置とずれてしまう。そうすると、溝４１の底部と溝４２の底部との間の距離が長くなるので、複数の板状パーツ３を分断し難くなるという問題が発生する。
【００５１】
実施の形態２では、溝４１の底部の幅が広いので、位置ずれが発生した場合でも、溝４１の底部と溝４２の底部との間の距離が、ほぼ変化しない。そのため、複数の板状パーツ３を分断し難くなるという問題を抑制することができる。従って、実施の形態２では、実施の形態１と比較して、複数の板状パーツ３の分断をより安定して行うことができる。
【００５２】
なお、実施の形態１では、溝４１および溝４２の構造がほぼ同じであるので、溝４１および溝４２の作製が、同じ条件で行える。従って、加工精度が良い場合には、実施の形態１では、実施の形態２と比較して、溝４１および溝４２の作製工程が複雑化せず、製造コストを抑制できるという利点がある。
【００５３】
また、実施の形態２では、溝４１の幅が溝４２の幅と異なっているので、分断ライン４の幅が、実施の形態１よりも広くなる。それ故、分断ライン４の幅が極端に広い場合、形象パーツ３ａ〜３ｄを配置できる面積が少なくなる恐れがある。そのような観点においては、実施の形態１は、実施の形態２よりも有利である。
【００５４】
このように、実施の形態１および実施の形態２は、それぞれ有利な特徴を有するが、玩具１に要求される各特性に応じて、溝４１および溝４２の構造は、適宜選択可能である。
【００５５】
（実施の形態３）
以下に図７を用いて、実施の形態３における玩具１を説明する。なお、以下の説明では、実施の形態１との相違点を主に説明する。図７は、図４と同様に、図１に示されるＡ−Ａ線に沿った断面図である。
【００５６】
実施の形態３では、図７に示されるように、表面ＴＳに溝４１が設けられているが、裏面ＢＳに溝４２は設けられていない。従って、実施の形態３では、実施の形態１と比較して、溝４１の作製工程を簡略化でき、製造コストを更に抑制できるという利点がある。一方で、実施の形態３では、分断ライン４の幅が、実施の形態１および実施の形態２よりも広くなり易いので、形象パーツ３ａ〜３ｄを配置できる面積が少なくなる恐れがある。そのような観点においては、実施の形態１および実施の形態２は、実施の形態３よりも有利である。
【００５７】
実施の形態１〜３においては、形象パーツ３ａ〜３ｄは、恐竜の骨格の形象物１０を組み立てるための各部位を構成する組立パーツとして記載されているが、このような態様に限られるものではない。例えば、形象パーツが特定の部位のみを構成するものではなく、形象パーツ全体として１つの形象物を構成する板状パーツとしてもより。その場合においても、形象パーツの周囲の背景パーツ３ｅを分断ライン４でそれぞれ分断して１つの形象物を構成する板状パーツを取り出すという遊び方をすることで本願に記載の玩具１を楽しむことができる。また、形象パーツと背景パーツ３ｅとからなる板状パーツ３に分断ライン４と開口部５ａ、５ｂを実施の形態１〜３に記載の構成にすることにより同様の効果をもたらし得る。
【００５８】
以上、本願の発明を実施の形態に基づき具体的に説明したが、本願の発明は上記実施の形態に限定されるものではなく、その要旨を逸脱しない範囲で種々変更可能である。
【符号の説明】
【００５９】
１    玩具
２ａ、２ｂ    組立キット
３    板状パーツ
３ａ、３ｂ、３ｃ、３ｄ    形象パーツ
３ｅ    背景パーツ
４    分断ライン
５ａ、５ｂ    開口部
６    装飾部
７    凸部
８    凹部
９    間隙部
１０、１１、１２、１３    形象物
３１    組立パーツ
４１、４２    溝
ＴＳ    表面
ＢＳ    裏面
【要約】
【課題】複数の板状パーツを容易に分断できる技術を提供する。また、ユーザの負傷を抑制できる板状パーツを提供する。
【解決手段】玩具１は、表面ＴＳおよび裏面ＢＳを有し、且つ、一体的に形成された複数の板状パーツ３と、複数の板状パーツ３の境界に設けられ、且つ、複数の板状パーツ３を個別に分断するための複数の分断ライン４とを備える。分断ライン４の端部であって、一体的に形成された複数の板状パーツ３の周囲に位置する該複数の分断ライン４の端部の少なくとも１つには、間隙部９が設けられている。
【選択図】図１【図１】
0006882586.tif 000002
【図２】
0006882586.tif 000003
【図３】
0006882586.tif 000004
【図４】
0006882586.tif 000005
【図５】
0006882586.tif 000006
【図６】
0006882586.tif 000007
【図７】
0006882586.tif 000008